(57)【要約】      （修正有）【課題】手にはめたときの保温効果及び滑り止め効果を得るとともに、快適性及び美観に優れた２重層複合材料からなる手袋構造を提供する。【解決手段】２重層複合材料からなる手袋構造は、手袋本体Ａを含む。手袋本体Ａは、ネリ層とカバー層２とが縫着されて形成される。ネリ層は、特製ネリ糸により織編されて一体成形された手袋であるとともに、胴体部２１及び複数の内指袋部を有する。カバー層２は、緯編方式により織編された一体成形された手袋であるとともに、胴体部２１、複数の外指袋部及び伸縮部２３を有する。伸縮部２３の底端には、内方へ折り曲がった袖口エリアが形成される。袖口エリアの内端には、所定の長さでネリ層の胴体部の底端が対応し、縫糸２３２１により縫合され、少なくとも１つの縫着エリア２３２を形成して縫着の堅牢性を高め、カバー層２をひっくり返してネリ層の表面を覆う。【選択図】図１
0003183055.tif 000002
【実用新案登録請求の範囲】
【請求項１】
手袋本体を備えた２重層複合材料からなる手袋構造であって、
前記手袋本体は、ネリ層とカバー層とが縫着されて形成され、
前記ネリ層は、特製ネリ糸により織編されて一体成形された手袋であるとともに、胴体部及び複数の内指袋部を有し、
前記カバー層は、緯編方式により織編された一体成形された手袋であるとともに、胴体部、複数本指袋及び伸縮部を有し、
前記伸縮部の底端には、内方へ折り曲がった袖口エリアが形成され、前記袖口エリアの内端には、所定の長さで前記ネリ層の前記胴体部の底端が対応し、縫糸により縫合され、少なくとも１つの縫着エリアを形成して縫着の堅牢性を高め、前記カバー層をひっくり返して前記ネリ層の表面を覆うことを特徴とする２重層複合材料からなる手袋構造。
【請求項２】
前記ネリ層の前記ネリ糸は、組織糸、羽毛糸、カシミヤ糸、ループ糸又は半カシミヤ糸のうちの少なくとも１つにより構成された組織繊維であることを特徴とする請求項１に記載の２重層複合材料からなる手袋構造。
【請求項３】
前記ネリ層及び前記カバー層の前記胴体部は、手の甲エリア及び掌エリアをそれぞれ含むことを特徴とする請求項１に記載の２重層複合材料からなる手袋構造。
【請求項４】
前記カバー層の表面は、少なくとも１つのパターン層縫着エリア及び少なくとも１つの装飾物のうちの少なくとも何れか１つを含むことを特徴とする請求項３に記載の２重層複合材料からなる手袋構造。
【請求項５】
前記カバー層の前記掌エリア及び前記複数本指袋には、滑り止め機能を有する少なくとも１つの滑り止め層が接着されて突設されていることを特徴とする請求項３に記載の２重層複合材料からなる手袋構造。
【考案の詳細な説明】
【技術分野】
【０００１】
本考案は、２重層複合材料からなる手袋構造に関するものであり、さらに詳しくは、手にはめて使用し、ネリ層とカバー層とを縫着して形成する２重層複合材料からなる手袋構造に関するものである。
【背景技術】
【０００２】
現在市販されている手袋は、材料の違いに応じて布手袋、プラスチック手袋、石綿手袋などに分けられる。そのうち最も良く使用されている手袋は布手袋であり、この布手袋は、フルカバー式及びハーフカバー式の２種類に分けられる。「フルカバー式手袋」とは、５本の指袋部を有する手袋を意味する。手袋を手にはめると、両手の掌が指部とともに完全に覆われる。ハーフカバー式手袋とは、長さが指より短くて先端が開いた指サックを有する手袋である。布手袋の防寒性を高めるために、保温性が好ましい毛糸材料又は皮材料が織編されて成形された手袋本体を採用する。この手袋本体は、手部に被せる箇所に応じて掌部と複数本指袋とに分けられる。
【０００３】
しかし、上述したような従来の布手袋は、織編されて形成された単層手袋本体であるため、各繊維糸の間に隙間が生じ、手袋を手にはめて作業する際、手が怪我をしたり手袋が手から外れたりする虞があり、防寒効果及び滑り止め効果を得ることはできなかった。
実公平７−３６６９３号公報（以下、「特許文献１」という。）には、手甲部側に伸縮部材を形成させた手袋であって、手掌部の薬指中心線延長線部とリスト部との接合周辺部における手掌部の非伸縮性部材は切欠部を形成し、切欠部に伸縮性部材を設けた手袋が記載されている。しかし、特許文献１に記載の手袋はスポーツ用のものであり、複合層を利用し、手にはめた際の保温効果等については開示がない。
【特許文献１】実公平７−３６６９３号公報
【考案の概要】
【考案が解決しようとする課題】
【０００４】
本考案の第１の課題は、手にはめたときの保温効果が高い２重層複合材料からなる手袋構造を提供することにある。
【０００５】
本考案の第２の課題は、手にはめたときの快適性に優れた２重層複合材料からなる手袋構造を提供することにある。
【０００６】
本考案の第３の課題は、手にはめたときの外観に優れた２重層複合材料からなる手袋構造を提供することにある。
【０００７】
本考案の第４の課題は、手にはめたときの滑り止め効果が高い２重層複合材料からなる手袋構造を提供することにある。
【課題を解決するための手段】
【０００８】
そこで、本考案者は、前記課題を解決するため、鋭意検討を重ねた結果、後述するようにネリ層とカバー層とを縫着することにより形成される２重層複合材料を用いる手袋において、前記課題が解決される点に着目し、かかる知見に基いて本考案を想到するに至った。
【０００９】
かくして、前記課題を解決するために、本考案によれば、手袋本体を備えた２重層複合材料からなる手袋構造であって、
前記手袋本体は、ネリ層とカバー層とが縫着されて形成され、前記ネリ層は、特製ネリ糸により織編されて一体成形された手袋であるとともに、胴体部及び複数本指袋を有し、前記カバー層は、緯編方式により織編された一体成形された手袋であるとともに、胴体部、複数本指袋及び伸縮部を有し、
前記伸縮部の底端には、内方へ折り曲がった袖口エリアが形成され、前記袖口エリアの内端には、所定の長さで前記ネリ層の前記胴体部の底端が対応し、縫糸により縫合され、少なくとも１つの縫着エリアを形成して縫着の堅牢性を高め、前記カバー層をひっくり返して前記ネリ層の表面を覆うことを特徴とする２重層複合材料からなる手袋構造が提供される。
【００１０】
前記ネリ層の前記ネリ糸は、組織糸、羽毛糸、カシミヤ糸、ループ糸又は半カシミヤ糸のうちの少なくとも１つにより構成された組織繊維であることが好ましい。
【００１１】
前記ネリ層及び前記カバー層の前記胴体部は、手の甲エリア及び掌エリアをそれぞれ含むことが好ましい。
【００１２】
前記カバー層の表面は、少なくとも１つのパターン層縫着エリア及び少なくとも１つの装飾物のうちの少なくとも何れか１つを含むことが好ましい。
【００１３】
前記カバー層の前記掌エリア及び前記複数本指袋には、滑り止め機能を有する少なくとも１つの滑り止め層が接着されて突設されていることが好ましい。
【考案の効果】
【００１４】
本考案は前記の通りの構成からなり、保温性、快適性、装飾性、滑り止め性等において、著しく顕著な効果を奏する。
【図面の簡単な説明】
【００１５】
【図１】図１は、本考案の一実施形態に係る２重層複合材料からなる手袋構造を示す斜視図である。
【図２】図２は、本考案の一実施形態に係る２重層複合材料からなる手袋構造の縫成過程を示す模式図である。
【図３】図３は、本考案の一実施形態に係る２重層複合材料からなる手袋構造の縫着過程を示す断面図である。
【図４】図４は、本考案の他の実施形態に係る２重層複合材料からなる手袋構造を示す模式図（１）である。
【図５】図５は、本考案の他の実施形態に係る２重層複合材料からなる手袋構造を示す模式図（２）である。
【図６】図６は、本考案の他の実施形態に係る２重層複合材料からなる手袋構造を示す模式図（３）である。
【図７】図７は、本考案の一実施形態に係る２重層複合材料からなる手袋構造を示す模式図である。
【考案を実施するための形態】
【００１６】
以下、本考案の実施形態について図面に基づいて説明する。なお、これによって本考案が限定されるものではない。
【００１７】
図１〜図３を参照する。図１〜図３に示すように、本考案の一実施形態に係る２重層複合材料からなる手袋構造は、手袋本体Ａを含む。この手袋本体Ａは、ネリ層１とカバー層２との縫着により形成される。
【００１８】
ネリ層１は、横編機（ｗｅｆｔ  ｋｎｉｔｔｉｎｇ  ｍａｃｈｉｎｅ）（手袋編機を含む。）を用いて、特製ネリ糸（ｎｅｒｉ  ｙａｒｎ（練糸））により織編され、編機により糸を織編して手袋を一体成形し、掌及び指全体を覆う輪郭を形成する。ネリ層１は、手の甲エリア１１１及び掌エリア１１２を覆って胴体部１１を形成する。胴体部１１の前端には、延びて縫成された複数の内指袋部１２が形成される。
【００１９】
カバー層２は、各種糸を各種横編機（手袋編機を含む）により織編してもよく、編機で糸を織編して一体式の手袋を形成し、掌及び指全体が包まれた輪郭を形成する。カバー層２は、手の甲エリア２１１及び掌エリア２１２を有する胴体部２１を含む。胴体部２１の前端には、織編された複数の内指袋部１２が延設されている。胴体部２１の後端には、延ばされて編織された伸縮部２３が形成されて締め付け効果を得て、伸縮部２３の底端を内方へ折り曲げて袖口エリア２３１が形成される。袖口２３１へ手を入れると腕が覆われた状態となる。袖口エリア２３１の内端には、所定の長さでネリ層１の胴体部１１の底端が対応するように縫糸２３２１により縫着され、少なくとも１つの縫着エリア２３２を形成して縫着の堅牢性を向上させ、カバー層２をひっくり返してネリ層１の表面を覆う。
【００２０】
本考案の一実施形態に係る２重層複合材料からなる手袋構造は、ネリ層１とカバー層２とが縫着されて形成された手袋本体Ａを含む。ネリ層１が特製ネリ糸により縫成され、手袋が一体成形される。ネリ層１の特製ネリ糸は組織繊維（ｔｉｓｓｕｅ  ｆｉｂｅｒ）である。この組織繊維は、組織糸（ｏｒｇａｎｉｚａｔｉｏｎ  ｙａｒｎ）、羽毛糸（ｆｅａｔｈｅｒ  ｙａｒｎ）、カシミヤ糸（ｃａｓｈｍｅｒｅ  ｙａｒｎ）、ループ糸（ｌｏｏｐ  ｙａｒｎ）又は半カシミヤ糸（ｈａｌｆ  ｏｆ  ｃａｓｈｍｅｒｅ  ｙａｒｎ）であり、手にはめたときの保温性及び快適性に優れている。ネリ層１は、胴体部１１及び複数の内指袋部１２を有する。胴体部１１は、掌を覆う手の甲エリア１１１及び掌エリア１１２から構成される。カバー層２は、緯糸を織編して一体成形された手袋である。カバー層２は、胴体部２１、複数の外指袋部２２及び伸縮部２３を含む。胴体部２１は、掌を覆う手の甲エリア２１１及び掌エリア２１２から構成される。伸縮部２３の底端には、内方に折り曲げられた袖口エリア２３１が形成される。袖口エリア２３１の内端には、所定長さでネリ層１の胴体部１１の底端に対応し、縫糸２３２１により縫着された少なくとも１つの縫着エリア２３２が形成され、縫着の堅牢性を高める。カバー層２は、ひっくり返してネリ層１の表面を覆うため、手にはめたときの保温効果に優れている（図２及び図３参照）。
【００２１】
図４〜図７を参照する。図４〜図７に示すように本考案の一実施形態に係る２重層複合材料からなる手袋構造の手袋本体Ａは、カバー層２の伸縮部２３の底端が内方へ折り曲げられて形成された袖口エリア２３１を含む。袖口エリア２３１の内端には、所定長さでネリ層１の胴体部１１の底端に対応し、少なくとも１つの縫着エリア２３２が縫糸２３２１により縫着され、カバー層２をひっくり返してネリ層１の表面を覆う。カバー層２の表面には、少なくとも１つのパターン層縫着エリア２１３，２２１，２３３が設けられて幾何学的形状に形成される（図４参照）。ここで幾何学的形状とは、柄模様、縞模様、波模様、文字・数字、人物、動物、植物又はアニメの絵のうちの１つ又はそれらの組み合わせである。本実施形態のカバー層２の表面には、少なくとも１つの装飾物２４が縫着される（図５参照）。装飾物２４は、ニットアクセサリ（ｋｎｉｔｔｉｎｇ  ａｃｃｅｓｓｏｒｙ）、不織布フィッティング（ｎｏｎ−ｗｏｖｅｎ  ｆｉｔｔｉｎｇ）、スパンコールフィッティング（ｓｅｑｕｉｎｅｄ  ｆｉｔｔｉｎｇ）、ダイヤモンドフィッティング（ｄｉａｍｏｎｄ  ｆｉｔｔｉｎｇ）、ビーズフィッティング（ｂｅａｄｓ  ｆｉｔｔｉｎｇ）、ベルトフィッティング（ｂｅｌｔｅｄ  ｆｉｔｔｉｎｇ）、フリンジフィッティング（ｆｒｉｎｇｅｄ  ｆｉｔｔｉｎｇ）などのうちの何れか１つ又はそれらの組み合わせにより構成され、これにより手にはめたときの見た目を良くしてもよい。
【００２２】
カバー層２の掌エリア２１２及び外指袋部２２に少なくとも１つの滑り止め層２１４，２２２が突設されて粘着され、滑り止め効果を得て（図６参照）、掌エリア２１２と所定の接触面との間に摩擦力を発生させ、身に着けたときの滑り止め効果を得る。特に、カバー層２は、少なくとも１つのパターン層縫着エリア２１３，２２１，２３３と、少なくとも１つの装飾物２４及びカバー層２上の掌エリア２１２と、外指袋部２２の少なくとも１つの滑り止め層２１４，２２２と、からなる群から選ばれる一種以上を含む（図７参照）。
【００２３】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１  ネリ層
２  カバー層
１１  胴体部
１２  内指袋部
２１  胴体部
２２  外指袋部
２３  伸縮部
２４  装飾物
１１１  手の甲エリア
１１２  掌エリア
２１１  手の甲エリア
２１２  掌エリア
２１３  パターン層縫着エリア
２１４  滑り止め層
２２１  パターン層縫着エリア
２２２  滑り止め層
２３１  袖口エリア
２３２  縫着エリア
２３３  パターン層縫着エリア
２３２１  縫糸
Ａ  手袋本体
【図１】
0003183055.tif 000003
【図２】
0003183055.tif 000004
【図３】
0003183055.tif 000005
【図４】
0003183055.tif 000006
【図５】
0003183055.tif 000007
【図６】
0003183055.tif 000008
【図７】
0003183055.tif 000009